(57)【要約】【課題】複数の単色ＬＥＤを用いて白色表示が可能なサイドライト方式のバックライトを有する表示装置の表示領域の面積を大きくする。【解決手段】赤ＬＥＤ２０Ｒ、緑ＬＥＤ２０Ｇ、青ＬＥＤ２０Ｂが並んで配置されたＬＥＤセット２０を光源とし、導光板１０には凸部が形成され、凸部に対向する部分にＬＥＤセット２０が配置される。凸部の先端面には入光溝１３が形成され、ＬＥＤからの光を広げる。凸部の側面には反射領域１５が形成され、反射領域１５によって、単色ＬＥＤからの単色光が混合され、白色光を形成する。この構成によって、白色光が形成される面積を大きくすることが出来、表示領域の面積を大きくすることが出来る。【選択図】図４
2013089434.tif 000002
【特許請求の範囲】
【請求項１】
第１の基板と第２の基板を有する表示パネルの背後にバックライトが配置された表示装置であって、
前記バックライトは、導光板と前記導光板の入光面に光源を配置したサイドライト型であり、
前記光源は、互いに色が異なる複数個のＬＥＤが配置されたＬＥＤセットであり、
前記導光板には凸部が形成され、前記凸部は前記ＬＥＤセットと対向する先端面と、前記先端面と交差する側面とを有し、
前記凸部の前記側面には、反射領域が形成されていることを特徴とする表示装置。
【請求項２】
前記凸部の前記先端面には、前記ＬＥＤセットからの光を広げるための入光溝が形成されていることを特徴とする請求項１に記載の表示装置。
【請求項３】
前記導光板の前記凸部と交差する辺と前記凸部の前記側面とのなす角度は９０〜１００度であることを特徴とする請求項２に記載の表示装置。
【請求項４】
前記バックライトはフィールドシーケンシャル方式であることを特徴とする請求項１から請求項３の何れか１項に記載の表示装置。
【請求項５】
第１の基板と第２の基板を有する表示パネルの背後にバックライトが配置された表示装置であって、
前記バックライトは、導光板と前記導光板の入光面に光源を配置したサイドライト型であり、
前記光源は、互いに色が異なる複数個のＬＥＤが配置されたＬＥＤセットであり、
前記導光板には凸部が形成され、前記凸部は前記ＬＥＤセットと対向する先端面と、前記先端面と交差する側面とを有し、
前記導光板と前記ＬＥＤセットはモールドに収容され、
前記モールドの前記凸部の前記側面に対向する部分には反射領域が形成されていることを特徴とする表示装置。
【請求項６】
前記凸部の前記先端面には、前記ＬＥＤセットからの光を広げるための入光溝が形成されていることを特徴とする請求項５に記載の表示装置。
【請求項７】
前記導光板の前記凸部と交差する辺と前記凸部の前記側面とのなす角度は９０〜１００度であることを特徴とする請求項６に記載の表示装置。
【請求項８】
前記バックライトはフィールドシーケンシャル方式であることを特徴とする請求項５から請求項７の何れか１項に記載の表示装置。
【請求項９】
前記ＬＥＤセットは、赤ＬＥＤと緑ＬＥＤと青ＬＥＤとから成る３個のＬＥＤで構成されていることを特徴とする請求項１から請求項８の何れか１項に記載の表示装置。
【請求項１０】
前記表示パネルは液晶表示パネルであることを特徴とする請求項１から請求項９の何れか１項に記載の表示装置。
【発明の詳細な説明】
【技術分野】
【０００１】
本発明はバックライトを有する表示装置に係り、特に、サイドライト型で、複数の単色ＬＥＤを用いた場合、色むらの生ずる領域を少なくでき、有効表示領域を大きく出来る表示装置に関する。
【背景技術】
【０００２】
バックライトを有する表示装置、例えば液晶表示装置では、画素電極および薄膜トランジスタ（ＴＦＴ）等がマトリクス状に形成されたＴＦＴ基板と、ＴＦＴ基板に対向して、ＴＦＴ基板の画素電極と対応する場所にカラーフィルタ等が形成された対向基板が設置され、ＴＦＴ基板と対向基板の間に液晶が挟持されている。そして液晶分子による光の透過率を画素毎に制御することによって画像を形成している。
【０００３】
液晶表示装置は、薄型、軽量に出来ることから色々な分野に使用されている。液晶は自身では発光しないので、液晶表示パネルの背面にバックライトを配置している。小型の液晶表示装置では、光源としてＬＥＤが使用されている。また、小型の液晶表示装置では、全体の厚さを小さくするために、導光板のサイド（入光面）にＬＥＤを配置するいわゆるサイドライト型のバックライトが使用される。
【０００４】
ＬＥＤは点光源であるが、導光板を出射する光は、面光源である必要がある。しかし、ＬＥＤが配置された導光板の付近は光の強度むらが大きく、面光源として用いることは不適である。したがって、面光源として用いることが出来る領域は限られてくる。面光源として使用できる面積を大きくするために、「特許文献１」および「特許文献２」では、導光板のサイドに台形状の突起を形成し、この台形上の突起の上底部分に光源であるＬＥＤを配置して、導光板からの均一な出射光を得る構成が記載されている。「特許文献１」および「特許文献２」に記載のバックライトは光源として白色ＬＥＤを使用している。したがって、色むらの問題は生じない。
【０００５】
「特許文献３」には、いわゆる直下型のバックライトにおいて、赤発光ＬＥＤ（以後赤ＬＥＤ）、緑発光ＬＥＤ（以後緑ＬＥＤ）、青発光ＬＥＤ（以後青ＬＥＤ）のＬＥＤセットを多数使用して、白色の面光源を得る構成が記載されている。各ＬＥＤセットは、凸部を有し、断面がＴ字型で、凸部と対向部に凹部を有する導光部の凸部に３色のＬＥＤをデルタ型に配置し、導光部において、３色をミキシングする構成が記載されている。
【先行技術文献】
【特許文献】
【０００６】
【特許文献１】特開２００２−１６９０３４号公報
【特許文献２】特開２００５−６３９１３号公報
【特許文献３】特開２００７−２００８７６号公報
【発明の概要】
【発明が解決しようとする課題】
【０００７】
液晶表示装置におけるカラー表示はカラーフィルタを用いて行うのが一般的である。この場合、バックライトは白色光である。カラーフィルタ方式では、たとえば、赤表示の場合、緑、青等の光はフィルタでブロックされ、バックライトの光のエネルギーの１/３しか使用できないので、エネルギー効率が悪い。緑表示、青表示等も同様である。
【０００８】
これに対して、いわゆるフィールドシーケンシャルによる駆動方法は、カラーフィルタを使用しないので、バックライトのエネルギー効率が優れている。図１２は、フィールドシーケンシャルの原理を示す模式図である。図１２において、赤、緑、青の色を持つ鉢に植えた花５００を表示するものとする。最初の一定時間は赤である花５０１のみを表示する。このときは赤ＬＥＤのみ点灯している。次の一定時間は緑である茎および葉５０２のみ表示する。このときは緑ＬＥＤのみ点灯している。さらに他の一定時間は青である鉢５０３のみ表示する。このときは青ＬＥＤのみ点灯している。人間の眼は残像を有しているので、人間の眼には、３色の合成された絵５００として認識される。
【０００９】
このように、フィールドシーケンシャルでは、カラーフィルタを用いないので、光源からの光を全量、表示に使用することができる。しかし、フィールドシーケンシャルにおいては、原理的に白色光は使用することができず、赤、緑、青の単色のＬＥＤを時間差で点灯させる必要がある。単色のＬＥＤを時間差で動作させても、人間の眼には、これらの光が重複して視認されるので、白表示する場合、３色のＬＥＤは表示領域においては十分にミキシングされていないと色むらとして認識される。
【００１０】
図１０は従来例におけるフィールドシーケンシャル方式のバックライトの一部の斜視図である。図１０において、導光板１０の側面に、ＬＥＤ用フレキシブル配線基板１２０に搭載された複数のＬＥＤセット２０が対向して配置されている。導光板１０の下面には反射シート３０が配置している。ＬＥＤセット２０とは、図１１に示すように、ＬＥＤパッケージに赤ＬＥＤ２０Ｒ、緑ＬＥＤ２０Ｇ、青ＬＥＤ２０Ｂが組み込まれたものである。
【００１１】
図１１は、導光板１０とＬＥＤセット２０の配置を示す平面図である。図１１は、導光板１０の端部の平面図を記載している。図１１において、ＬＥＤ用フレキシブル配線基板１２０は省略されている。図１１において、導光板１０に矩形状の凹部１２が形成され、この凹部１２の中にＬＥＤセット２０が配置されている。導光板１０の凹部１２において、ＬＥＤセット２０と対向する面には、ＬＥＤからの光を広げるための入光溝１３が形成されている。入光溝１３の構造については、後で説明する。
【００１２】
ＬＥＤセット２０において、導光板１０の入光溝１３に対向する部分には、赤ＬＥＤ２０Ｒ、緑ＬＥＤ２０Ｇ、青ＬＥＤ２０Ｂが配置している。各単色ＬＥＤから入光溝１３に入射した光は、入光溝１３によって広げられ、液晶表示パネルの表示領域４００に対応する部分に進む。表示領域４００においては、３色の光が十分にミキシングされ、白表示が可能となっている必要がある。しかし、図１１に示すように、ＬＥＤセット２０付近においては、単色領域あるいは２色領域が存在するので、この領域が存在する部分は表示領域４００として使用することができない。
【００１３】
図１１において、入光溝１３から出射する光のうち、Ｒは赤単色の領域であり、Ｇは緑単色の領域であり。Ｂは、青単色の領域である。また、Ｙは、赤とみどりの混合した黄色の領域であり、Ｃは青と緑の混合したシアンの領域であり、Ｗは赤、緑、青の３色が混合した白の領域である。ところで、赤および黄色の領域は、導光板の端部で反射して表示領域に向かうが、反射後、青の光とも混合するので、白色光となる。したがって、表示領域４００として使用できる領域は、図１１における点線の部分よりも上側の領域となる。一方、単色あるいは、２色混合の光が存在する領域は非表示領域４５０であり、表示領域としては使用できない。
【００１４】
表示装置のスペース効率を上げるためには、非表示領域４５０を小さくする必要があるが、図１１に示す従来例においては、非表示領域４５０を小さくするには限界があった。本発明の課題は、フィールドシーケンシャル方式等、赤ＬＥＤ、緑ＬＥＤ、青ＬＥＤの単色のＬＥＤを用いて表示する、バックライトを有する表示装置において、白色光となる領域をできるだけ大きくすることができるバックライトの構成を実現することである。なお、赤ＬＥＤ、緑ＬＥＤ、青ＬＥＤを用いる場合は例であって、たとえば、黄色のＬＥＤが加わったような場合においても、課題は同様である。
【課題を解決するための手段】
【００１５】
本発明は以上のような課題を解決するものであり、主な手段は次のとおりである。
【００１６】
（１）第１の基板と第２の基板を有する表示パネルの背後にバックライトが配置された表示装置であって、前記バックライトは、導光板と前記導光板の入光面に光源を配置したサイドライト型であり、前記光源は、互いに色が異なる複数個のＬＥＤが配置されたＬＥＤセットであり、前記導光板には凸部が形成され、前記凸部は前記ＬＥＤセットと対向する先端面と、前記先端面と交差する側面とを有し、前記凸部の前記側面には、反射領域が形成されていることを特徴とする表示装置。
【００１７】
（２）前記凸部の前記先端面には、前記ＬＥＤセットからの光を広げるための入光溝が形成されていることを特徴とする（１）に記載の表示装置。
【００１８】
（３）前記導光板の前記凸部と交差する辺と前記凸部の前記側面とのなす角度は９０〜１００度であることを特徴とする（２）に記載の表示装置。
【００１９】
（４）前記バックライトはフィールドシーケンシャル方式であることを特徴とする（１）から（３）の何れかに記載の表示装置。
【００２０】
（５）第１の基板と第２の基板を有する表示パネルの背後にバックライトが配置された表示装置であって、前記バックライトは、導光板と前記導光板の入光面に光源を配置したサイドライト型であり、前記光源は、互いに色が異なる複数個のＬＥＤが配置されたＬＥＤセットであり、前記導光板には凸部が形成され、前記凸部は前記ＬＥＤセットと対向する先端面と、前記先端面と交差する側面とを有し、前記導光板と前記ＬＥＤセットはモールドに収容され、前記モールドの前記凸部の前記側面に対向する部分には反射領域が形成されていることを特徴とする表示装置。
【００２１】
（６）前記凸部の前記先端面には、前記ＬＥＤセットからの光を広げるための入光溝が形成されていることを特徴とする（５）に記載の表示装置。
（７）前記導光板の前記凸部と交差する辺と前記凸部の前記側面とのなす角度は９０〜１００度であることを特徴とする（６）に記載の表示装置。
（８）前記バックライトはフィールドシーケンシャル方式であることを特徴とする（５）から（７）の何れかに記載の表示装置。
（９）前記ＬＥＤセットは、赤ＬＥＤと緑ＬＥＤと青ＬＥＤとから成る３個のＬＥＤで構成されていることを特徴とする（１）から（８）の何れかに記載の表示装置。
（１０）前記表示パネルは液晶表示パネルであることを特徴とする（１）から（９）の何れかに記載の表示装置。
【発明の効果】
【００２２】
本発明によれば、複数の単色のＬＥＤを用いて白色表示する液晶表示装置において、外形を同じにした場合の表示領域の面積を大きくすることが出来る。フィールドシーケンシャル方式の表示装置においては、単色のＬＥＤを用いることが必須であるので、特に効果がある。
【図面の簡単な説明】
【００２３】
【図１】液晶表示装置の断面図である。
【図２】本発明による、モールド内に収容された導光板とＬＥＤセットを示す平面図である。
【図３】ＬＥＤを載置したＬＥＤ用フレキシブル配線基板の平面図である。
【図４】本発明による導光板の凸部とＬＥＤセットの関係を示す平面図である。
【図５】本発明による導光板の凸部とＬＥＤセットの関係を示す拡大平面図である。
【図６】入光溝によってＬＥＤからの光を広げる状態を示す模式図である。
【図７】入光溝の例を示す平面図である。
【図８】入光溝の他の例を示す平面図である。
【図９】実施例２による導光板の凸部とＬＥＤセットの関係を示す平面図である。
【図１０】従来例のバックライトにおける導光板とＬＥＤセットの関係を示す斜視図である。
【図１１】従来例における導光板とＬＥＤセットの関係を示す平面図である。
【図１２】フィールドシーケンシャルの原理を示す模式図である。
【発明を実施するための形態】
【００２４】
以下、本発明の内容を、実施例を用いて詳細に説明する。
【実施例１】
【００２５】
図１は本発明が適用される表示装置の断面図である。実施例１においては、バックライトを有する表示装置として、液晶表示装置を例に挙げて説明する。図１において、液晶表示パネル３００の背面にバックライトが配置されている。ＴＦＴと画素電極がマトリクス状に形成されたＴＦＴ基板１００（第1の基板）と対向基板２００（第２の基板）の間に図示しない液晶層が挟持されている。ＴＦＴ基板１００の下には下偏光板１０１が配置し、対向基板２００の上には上偏光板２０１が配置している。ＴＦＴ基板１００、対向基板２００、下偏光板１０１、上偏光板２０１で液晶表示パネル３００を構成している。ＴＦＴ基板１００は対向基板２００よりも大きく形成され、ＴＦＴ基板１００が１枚となっている部分は端子部１５０となっている。端子部１５０には画像信号等を供給するためのフレキシブル配線基板１１０が接続されている。
【００２６】
バックライトは樹脂モールド８０内に配置されている。光源は赤ＬＥＤ２０Ｒ、緑ＬＥＤ２０Ｇ、青ＬＥＤ２０ＢがセットになったＬＥＤセット２０である。ＬＥＤセット２０は導光板１０の側面に配置している。ＬＥＤセット２０は、ＬＥＤ用フレキシブル配線基板１２０に載置されている。導光板１０のＬＥＤセット２０と対向する部分にはＬＥＤからの光を広げるための入光溝１３が形成されている。導光板１０の下面には反射シート３０が配置している。
【００２７】
導光板１０の上には光学シート群が配置している。図１においては、光学シート群は、下から、下拡散シート４０、下プリズムシート５０、上プリズムシート６０、上拡散シート７０である。下拡散シート４０は、導光板１０によって均一にしきれない点光源に起因する輝度むらを軽減する。下プリズムシート５０は、特定方向に広がろうとする光を液晶表示パネル３００の方向に向ける働きを有し、上プリズムシート６０は、特定方向と直角方向に広がろうとする光を液晶表示パネル３００の方向に向ける。上拡散シート７０は、液晶表示パネル３００の走査線あるいは映像信号線と、下プリズムシート５０あるいは上プリズムシート６０とによって発生するモアレを低減する。図１における光学シートは例であり、他の組み合わせも存在する。例えば、プリズムシートを使用せずに、複数の拡散シートを用いる場合もある。
【００２８】
図２は、モールド８０内に導光板１０とＬＥＤセット２０が配置された平面図である。導光板１０は、ＬＥＤセット２０と対向する部分には矩形状の凸部１１が形成されており、凸部１１のＬＥＤセット２０と対向する部分には入光溝１３が形成されている。図２において、導光板１０の１辺には６個の凸部１１が形成され、対応して６個のＬＥＤセット２０が配置している。凸部１１のピッチｐあるいはＬＥＤセット２０のピッチｐは例えば、７．６ｍｍである。ＬＥＤセット２０にはＬＥＤ用フレキシブル配線基板１２０から電流等が供給される。図３はＬＥＤセット２０がＬＥＤ用フレキシブル配線基板１２０に載置されている状態を示す。
【００２９】
図４は、図２の詳細図である。図４において、モールド８０の内部に導光板１０とＬＥＤセット２０が収容されている。導光板１０には凸部１１が存在し、凸部１１の先端面には入光溝１３が形成されている。凸部１１の側面には反射領域１５が形成されている。この構成が本発明の特徴である。凸部１１の側面の反射領域１５はＡｌ、Ａｇ等の蒸着膜等を用いることが出来る。なお、反射領域１５はこれらの金属でなくとも、反射率の高い樹脂で形成することも出来る。ただし、導光板１０の凸部１１側面の全反射を利用する構成だけでは、本発明の目的を達成することが出来ない。入光溝１３から出射する全ての光を全反射することは不可能だからである。
【００３０】
凸部１１の入光溝１３に対向してＬＥＤセット２０が配置されている、ＬＥＤセット２０は、赤ＬＥＤ２０Ｒ、緑ＬＥＤ２０Ｇ、青ＬＥＤ２０Ｂが並んで配置されている。各ＬＥＤから出射した光は入光溝１３に入射し、入光溝１３において広げられる。
【００３１】
入光溝１３から出射した光は直後は単色である。この単色光の領域は図４において、Ｒ、Ｇ、Ｂと記載されている。また、入光溝１３から出射した所定の領域は、２色の光が混合した領域である。図４において、Ｙと記載されている領域は赤と緑の混合した黄色の領域であり、Ｃと記載されている領域は緑と青が混合したシアンの領域である。また、図４において、Ｗと記載されている領域は赤、緑、青の混合した白色領域である。
【００３２】
本発明では、矩形状の凸部１１の側面に形成された反射領域１５において、赤、緑、青の光が反射し、混合するので、白色光となる領域を大きくすることが出来る。したがって、導光板１０における表示領域４００の面積を従来よりも大きくすることが出来る。図４において、凸部１１の側面に形成された反射領域１５の影響によって白色領域を大きくとることが出来るので、導光板１０の側面によって、影になった領域４５１を除いて表示領域４００として使用することが出来る。
【００３３】
図５は図４をさらに詳細に示したものである。図５において、モールド８０内に凸部１１を有する導光板１０と、凸部１１に対向してＬＥＤセット２０が配置されている。モールド８０に収容されているＬＥＤセット２０における赤ＬＥＤ２０Ｒ、緑ＬＥＤ２０Ｇ、青ＬＥＤ２０Ｂの間隔ｄ１は例えば、１．３ｍｍであり、ＬＥＤセット２０の幅ｗは５ｍｍである。
【００３４】
導光板１０の凸部１１の高さｈは、３色を混合できる範囲でできるだけ小さいほうがよい。この高さｈは、図６に示す入射溝１３から出射する光の出射角度φに依存する。出射角度φが大きいほど、導光板１０の凸部１１の高さｈを小さく出来、したがって、表示領域４００の面積を大きくすることが出来る。現状では、入光溝１３からの出射角度φは１４０度が限度であり、現状における代表的な出射角度φは１２０度である。
【００３５】
一方、導光板１０の凸部１１は矩形であることが望ましい。すなわち、図５における導光板１０の辺と凸部１１の側面のなす角度θは９０度であることが望ましい。但し、９０度に限らず、９０度〜１００度の範囲であれば、本発明の効果を達成することが出来る。
【００３６】
図７は入光溝１３の詳細平面図である。図７において、凸部１１の先端面において、平面が台形の凹凸が連続して形成されている。このような平面形状によれば、ＬＥＤからの光を屈折し、左右に広げて出射することが出来る。図７において、台形の高さは例えば、７０〜８０μｍ、台形のピッチは例えば、１００μｍである。
【００３７】
図８は、入光溝１３の他の形状を示す平面図である。図８のような平面形状を有する入光溝の場合も、ＬＥＤからの光を屈折し、左右に広げて出射することが出来る。図８は突起部が台形ではなく、楕円状等の曲線にしたものである。高さは例えば、７０〜８０μｍ、突起のピッチは例えば、１００μｍである。
【実施例２】
【００３８】
図９は本発明の第２の実施例を示す平面図であり、実施例１の図４に対応するものである。モールド８０内に矩形の凸部１１を有する導光板１０が配置されていること、および、ＬＥＤセット２０が配置されていることは図４と同様である。実施例１と異なるところは、導光板１０の凸部１１の側面に反射領域が形成されているのではなく、凸部１１の側面に対向するモールド８０の内面に反射領域１５が形成されていることである。その他の点は図４と同様なので、図９において、各光の光路は省略している。
【００３９】
反射領域１５は、ＡｌあるいはＡｇの蒸着膜等が理想的であるが、必ずしも、金属の膜でなくとも、反射率の高い、樹脂等を使用することが出来る。ただし、単にモールド８０の材料の反射率に依存するのではなく、モールド材料以上の反射率を有する物質を反射領域に形成しておくことが必要である。
【００４０】
図９において、入光溝１３の詳細平面形状は図７あるいは図８に示すのと同様である。図９では、赤ＬＥＤ２０Ｒ、緑ＬＥＤ２０Ｇ、青ＬＥＤ２０Ｂ等からの光の経路は省略しているが、各単色光は導光板１０の凸部１１の側面ではなく、凸部１１の側面に対向するモールドの反射領域１５で反射するとして、図４と同様に説明することが出来る。
【００４１】
以上のように、本発明によれば、フィールドシーケンシャル方式等、単色のＬＥＤを光源に用いた液晶表示装置において、表示領域４００を広げることが出来る。また、本発明によれば、光源付近における単色あるいは２色の領域が小さいので、画面を斜め方向から見た場合に、これらの単色あるいは２色の領域が見えて、画質を損なうという現象を防止することが出来る。
【００４２】
また、以上の実施例では、光を広げるための入光溝１３を導光板１０の凸部１１に設けたが、ＬＥＤ自体の出射光が広角に出射する性能を有すれば、入光溝１３はかならずしも必要ではない。また、ＬＥＤセット２０において、ＬＥＤは赤ＬＥＤ２０Ｒ、緑ＬＥＤ２０Ｇ、青ＬＥＤ２０Ｂの３種類としたが、これに黄色等のＬＥＤを加えた４色ＬＥＤ等を使用する場合も以上述べた本発明を適用することが出来る。
【００４３】
以上の説明では、本発明をフィールドシーケンシャル方式の液晶表示装置に適用した場合について説明したが、本発明は、液晶表示装置以外のバックライトを有する表示装置に対して適用することができる。
【符号の説明】
【００４４】
１０…導光板、  １１…導光板凸部、  １２…導光板凹部、  １３…入光溝、  １５…反射領域、  ２０…ＬＥＤセット、  ２０Ｒ…赤ＬＥＤ、  ２０Ｇ…緑ＬＥＤ、  ２０Ｂ…青ＬＥＤ、  ３０…反射シート、  ４０…下拡散シート、  ５０…下プリズムシート、  ６０…上プリズムシート、  ７０…上拡散シート、  ８０…モールド、  １００…ＴＦＴ基板、  １０１…下偏光板、  １１０…フレキシブル配線基板、  １２０…ＬＥＤ用フレキシブル配線基板、  １５０…端子部、  ２００…対向基板、  ２０１…上偏光板、  ３００…液晶表示パネル、  ４００…表示領域、  ４５０…非表示領域
【図１】
2013089434.tif 000003
【図２】
2013089434.tif 000004
【図３】
2013089434.tif 000005
【図４】
2013089434.tif 000006
【図５】
2013089434.tif 000007
【図６】
2013089434.tif 000008
【図７】
2013089434.tif 000009
【図８】
2013089434.tif 000010
【図９】
2013089434.tif 000011
【図１０】
2013089434.tif 000012
【図１１】
2013089434.tif 000013
【図１２】
2013089434.tif 000014